(57)【要約】【課題】不正行為を効果的に防止するとともに、端子近傍における破壊作業を行わなくても制御基板の端子からコネクタを取り外すことができるようにする。【解決手段】主制御基板２３の端子面を被覆する端子面ケース４２に、ケーブル３７の他端に備える第二コネクタ３９の通り抜けを許容し、かつ、ケーブル３７の一端に備える第一コネクタ３８の通り抜けを規制するケーブル挿通孔４２ａを形成すると共に、ケーブル挿通孔４２ａにケーブル３７が挿通された状態となっている第一コネクタ３８を端子３６Ａに接続した後に、端子面ケース４２と主制御基板２３を固定する。【選択図】図６
2008093202.tif 000002
【特許請求の範囲】
【請求項１】
基板上に端子が配置された制御基板と、
前記制御基板における前記端子が配置された側の面を被覆する端子面ケースと、
前記端子面ケースを前記制御基板における前記端子が配置された側に固定する固定手段と、
前記端子にコネクタを介して電気的に接続されるケーブルと
を備える遊技機であって、
前記ケーブルの一端には、前記端子と接続される第一コネクタが備えられ、
前記ケーブルの他端には、遊技機本体側と接続される第二コネクタが備えられ、
前記第一コネクタのコネクタハウジングは、前記第二コネクタのコネクタハウジングよりも外形が大きく成形され、
前記端子面ケースには、前記第二コネクタの通り抜けを許容し、かつ、前記第一コネクタの通り抜けを規制するケーブル挿通孔が備えられ、
前記端子面ケースは、前記ケーブル挿通孔に前記ケーブルが挿通された状態となっている前記第一コネクタを前記端子に接続した後に、前記固定手段によって固定されるようになっていることを特徴とする遊技機。
【請求項２】
前記端子面ケースには、前記第一コネクタが収容される収容空間を内部に有するコネクタ収容部が突出状に形成され、
前記端子面ケースと前記制御基板とが固定された際の前記収容空間における前記制御基板と対向する面には、前記第一コネクタの通り抜けを許容するコネクタ挿入孔が形成され、
前記収容空間におけるコネクタ挿入孔と対向する面には、前記ケーブル挿通孔が形成されていること特徴とする請求項１記載の遊技機。
【請求項３】
前記制御基板における前記端子が配置された側とは逆側の面を被覆する非端子面ケースを備え、
前記端子面ケースと前記非端子面ケースとは、前記制御基板を被覆した状態で、封印構造によって互いの相対位置が固定され、
前記端子面ケースと前記非端子面ケースと前記制御基板とから成る基板ケースユニットは、前記第一コネクタと前記端子との接続と、前記第二コネクタと遊技機本体側に設けられた端子との接続と、を含む取付構造にて、遊技機本体に取り付けられるようになっており、
前記固定手段は、
前記制御基板に備えられた基板を貫通する貫通孔と、
前記貫通孔に挿入される雄ねじと、
前記制御基板側から挿入された前記雄ねじを受け入れる前記端子面ケースに設けられた雌ねじと、により構成され、
前記雄ねじの頭は、前記非端子面ケースにより被覆されることを特徴とする請求項１又は２記載の遊技機。
【請求項４】
前記制御基板における前記端子が配置された側とは逆の面を被覆する非端子面ケースを備え、
前記端子面ケースと前記非端子面ケースとは、前記制御基板を被覆した状態で、封印構造によって互いの相対位置が固定され、
前記端子面ケースと前記非端子面ケースと前記制御基板とから成る基板ケースユニットは、前記第一コネクタと前記端子との接続と、前記第二コネクタと遊技機本体側に設けられた端子との接続と、を含む取付構造にて、遊技機本体に取り付けられるようになっており、
前記固定手段は、
前記封印構造であることを特徴とする請求項１又は２記載の遊技機。
【発明の詳細な説明】
【技術分野】
【０００１】
本発明は、パチンコ遊技機、スロットマシンなどの遊技機に関し、特に、真正基板ケース（真正な制御基板を内部に収容した基板ケース）を取り外し、不正基板ケース（不正改造された制御基板を内部に収容した基板ケース）に交換するという不正行為を、メンテナンス性を低下させることなく効果的に防止することができる遊技機に関する。
【背景技術】
【０００２】
遊技機の制御基板を収容する基板ケースとしては、封印構造を備えるものが広く知られている（例えば、特許文献１参照）。この種の封印構造は、基板ケースの開放を封印し、この封印が開封されたとき、その痕跡を残すように構成されているため、制御基板に対する不正行為、例えば、真正ＲＯＭ（真正な制御プログラムが書き込まれたＲＯＭ）を不正ＲＯＭ（不正改造された制御プログラムが書き込まれたＲＯＭ）に交換する不正行為や、真正制御基板（真正なＲＯＭが搭載された制御基板）を不正制御基板（不正改造されたＲＯＭが搭載された制御基板）に交換する不正行為を防ぐ効果がある。なお、この種の基板ケースは、制御基板に不正器具が容易に取り付けられないように制御基板を被覆し、制御基板がむき出しにならないようにすることを一つの目的として遊技機に設置されるものである。
【０００３】
近年、基板ケースの封印構造を無効化する不正行為が発生している。例えば、制御基板の端子と、この端子にコネクタを介して接続されるケーブルとの間に、不正機器を取り付け、制御基板の入出力信号を偽装するという不正行為が知られている。このような不正行為の防止策としては、制御基板に接続されたコネクタを容易に取り外すことができないようにする構造が有効であり、その具体的な構造が特許文献２に開示されている。
【０００４】
また、真正基板ケース（真正な制御基板を内部に収容した基板ケース）を取り外し、不正基板ケース（不正改造された制御基板を内部に収容した基板ケース）に交換するという不正行為も知られている。このような不正行為は、封印構造を備える基板ケース及び制御基板を偽造するものであり、基板ケースの封印構造を無効化するものとなっている。このような不正行為に対しても、特許文献２の構造は有効と考えられる。つまり、真正基板ケースの取り外しに際しては、制御基板の端子に接続されたコネクタの取り外し作業が必要であり、この作業が特許文献２の構造により非容易となるからである。
【特許文献１】特許第３２６１０８４号公報
【特許文献２】特開２００６−３４７８４号公報
【発明の開示】
【発明が解決しようとする課題】
【０００５】
しかしながら、特許文献２に示される不正防止構造では、メンテナンス等の適正行為においてもコネクタの取り外し作業が非容易となってしまうため、メンテナンス性が低下するという問題がある。具体的には、特許文献２に示される不正防止構造では、コネクタカバーを破壊しなければコネクタを取り外せないようになっている。つまり、特許文献２に示される不正防止構造では、制御基板の端子近傍で破壊作業を行わなければならず、適正な作業であるメンテナンスを行う際に、熟練した作業者でなければ制御基板の端子を傷つけてしまうという問題点がある。
【課題を解決するための手段】
【０００６】
本発明は、上記の如き実情に鑑みこれらの課題を解決することを目的として創作されたものであって、基板上に端子が配置された制御基板と、前記制御基板における前記端子が配置された側の面を被覆する端子面ケースと、前記端子面ケースを前記制御基板おける前記端子が配置された側に固定する固定手段と、前記端子にコネクタを介して電気的に接続されるケーブルとを備える遊技機であって、前記ケーブルの一端には、前記端子と接続される第一コネクタが備えられ、前記ケーブルの他端には、遊技機本体側と接続される第二コネクタが備えられ、前記第一コネクタのコネクタハウジングは、前記第二コネクタのコネクタハウジングよりも外形が大きく成形され、前記端子面ケースには、前記第二コネクタの通り抜けを許容し、かつ、前記第一コネクタの通り抜けを規制するケーブル挿通孔が備えられ、前記端子面ケースは、前記ケーブル挿通孔に前記ケーブルが挿通された状態となっている前記第一コネクタを前記端子に接続した後に、前記固定手段によって固定されるようになっていることを特徴とする。
このようにすると、制御基板の端子からコネクタを取り外す作業において、端子近傍における破壊作業を行わなくても制御基板の端子からコネクタを取り外すことができる。また、制御基板が端子面ケースにて被覆されているため、制御基板に不正器具が取り付けられるという不正行為を防止することができる。
また、前記端子面ケースには、前記第一コネクタが収容される収容空間を内部に有するコネクタ収容部が突出状に形成され、前記端子面ケースと前記制御基板とが固定された際の前記収容空間における前記制御基板と対向する面には、前記第一コネクタの通り抜けを許容するコネクタ挿入孔が形成され、前記収容空間におけるコネクタ挿入孔と対向する面には、前記ケーブル挿通孔が形成されているを特徴とする。
このようにすると、第一コネクタがコネクタ収容部に収容されているため、第一コネクタと端子との間に不正機器を取り付け、制御基板の入出力信号を偽装するという不正行為の前提行為である第一コネクタの再接続作業を煩雑にし、前記のような不正行為を防止することができる。
さらに、前記制御基板における前記端子が配置された側とは逆側の面を被覆する非端子面ケースを備え、前記端子面ケースと前記非端子面ケースとは、前記制御基板を被覆した状態で、封印構造によって互いの相対位置が固定され、前記端子面ケースと前記非端子面ケースと前記制御基板とから成る基板ケースユニットは、前記第一コネクタと前記端子との接続と、前記第二コネクタと遊技機本体側に設けられた端子との接続と、を含む取付構造にて、遊技機本体に取り付けられるようになっており、前記固定手段は、前記制御基板に備えられた基板を貫通する貫通孔と、前記貫通孔に挿入される雄ねじと、前記制御基板側から挿入された前記雄ねじを受け入れる前記端子面ケースに設けられた雌ねじと、により構成され、前記雄ねじの頭は、前記非端子面ケースにより被覆されるを特徴とする。
このようにすると、基板ケースユニットを遊技機本体から取り外す作業は、不正行為を行う者にとって時間を要する封印構造の解除を行わなければならない第一コネクタの取り外し作業、若しくは第一コネクタよりも基板ケースユニットから離れたところに配置され不正行為を行う者にとって作業範囲が広い第二コネクタの取り外し作業を行わなければ、基板ケースユニットを遊技機本体から取り外すことができないようにすることができる。
また、さらに、前記制御基板における前記端子が配置された側とは逆の面を被覆する非端子面ケースを備え、前記端子面ケースと前記非端子面ケースとは、前記制御基板を被覆した状態で、封印構造によって互いの相対位置が固定され、前記端子面ケースと前記非端子面ケースと前記制御基板とから成る基板ケースユニットは、前記第一コネクタと前記端子との接続と、前記第二コネクタと遊技機本体側に設けられた端子との接続と、を含む取付構造にて、遊技機本体に取り付けられるようになっており、前記固定手段は、前記封印構造であることを特徴とする。
このようにすると、前述と同様の作用を得ることができる。
【発明の効果】
【０００７】
上記のように構成された本発明によれば、不正行為を効果的に防止するとともに、端子近傍における破壊作業を行わなくても制御基板の端子からコネクタを取り外すことができるため、制御基板のメンテナンスを容易にすることができる。
【発明を実施するための最良の形態】
【０００８】
［パチンコ遊技機本体］
次に、本発明の実施形態について、図面に基づいて説明する。図１及び図２において、１はパチンコ遊技機（遊技機）であって、該パチンコ遊技機１は、パチンコ島に固定される外枠２に対して、開閉自在に取り付けられている。パチンコ遊技機１の側方隣接位置には、台間玉貸し機３が並設され、この台間玉貸し機３に、現金又はプリペイドカードを投入することにより、台間玉貸し機３又はパチンコ遊技機１から遊技球が貸し出され、遊技球を用いたパチンコ遊技が可能になる。
【０００９】
パチンコ遊技機１の正面部は、遊技球が発射される遊技盤４と、その前方を覆う開閉自在なガラス枠５と、遊技球を貯留する上皿６と、上皿６の余剰球を貯留する下皿７と、遊技球の発射操作を行う発射ハンドル８と、台間玉貸機３に遊技球の貸出指示を行う貸出操作部９と、効果音を出力するスピーカ１０と、遊技者によって操作される演出用の操作スイッチＳとを備えており、また、パチンコ遊技機１の背面部は、払出用の遊技球を貯留する遊技球タンク１１と、遊技球タンク１１内の遊技球を上皿６に払い出す賞球払出装置１２と、遊技球を発射する発射モータ１３と、後述する各種の基板とを備えている。
【００１０】
図３に示すように、遊技盤４には、始動口１４、大入賞口１５、入賞口（図示せず）、ゲート（図示せず）、アウト口１６、遊技釘１７などが配置されており、遊技盤４に発射された遊技球は、遊技釘１７によって各口１４〜１６に誘導される。また、遊技盤４には、特別図柄表示装置１８、演出図柄表示装置１９、普通図柄表示装置２０などの表示装置が配置されている。特別図柄表示装置１８は、特別図柄を形式的に変動表示する表示装置であり、例えば、７セグＬＥＤや複数のＬＥＤで構成される。演出図柄表示装置１９は、特別図柄に対応した演出図柄を変動表示する表示装置であり、例えば、液晶パネル、リールユニットなどで構成され、演出図柄変動表示の他、リーチ予告演出表示、スーパーリーチ演出表示、大当り演出表示などを行う。
【００１１】
［パチンコ遊技機の基本動作］
上皿６に遊技球が貯留された状態で発射ハンドル８を回し操作すると、遊技盤４に向けて遊技球が発射される。発射された遊技球が始動口１４や入賞口（図示せず）に入賞した場合は、所定個数の遊技球が賞球として払い出される。また、遊技球がゲート（図示せず）を通過したときは、普通図柄表示装置２０において普通図柄の変動表示が行われ、その停止図柄が所定の当り図柄である場合は、始動口１４に設けられる普通電動役物１４ａが所定時間にわたって開放動作される。また、遊技球が始動口１４に入賞したときは、特別図柄表示装置１８及び演出図柄表示装置１９において特別図柄及び特別図柄に係る演出図柄の変動表示が行われ、これらの図柄が予め決められた当り配列で停止すると、遊技者が多くの遊技球を獲得可能な大当りモードとなる。
以下、大当りの開始、終了などを契機として切換えられるパチンコ遊技機１の各種遊技モードについて、図４を参照して説明する。
【００１２】
（１）通常遊技モード
このモードでは、特別図柄抽選における２段階の大当り確率のうち、低確率（例えば、１／３００）が適用される。また、このモードでは、普通図柄の抽選サイクルが長くなっている。
（２）大当りモード
このモードは、特別図柄（演出図柄）が予め決められた当り配列で停止したときに実行され、大入賞口１５に設けられる特別電動役物１５ａの開放動作が行われる。この開放動作は、所定時間の経過（例えば、３０秒）又は所定個数の入賞（例えば、１０球）を１ラウンドとし、所定のラウンド数（例えば、１５ラウンド）に亘って繰り返される。
（３）確率変動モード
このモードは、大当りモードが終了した後、所定の確率（例えば、１／２）で実行される。すなわち、特別図柄抽選の大当りには、大入賞口１５の開放動作後、特別図柄抽選の当選確率を低確率にする通常当りと、大入賞口１５の開放動作後、特別図柄抽選の当選確率を高確率にする確変当りとがある。例えば、大当り時の停止図柄が特定の確変図柄であったとき、確変当りとなる。そして、確率変動モードでは、大当り確率が高確率（例えば、１／３０）となり、また、普通図柄抽選の抽選サイクルが短く、しかも、普通電動役物１４ａの開放時間が長いため、持ち玉をほとんど減らすことなく、再び大当りを発生させることができる。
（４）時間短縮モード
このモードは、通常当りの大当りモードが終了した後に実行される。時間短縮モードでは、特別図柄抽選の大当り確率が低確率であるが、普通図柄抽選の抽選サイクルが短く、しかも、普通電動役物１４ａの開放時間が長いため、持ち玉をほとんど減らすことなく、遊技を継続することができる。ただし、このモードは、大当り終了後、特別図柄の変動回数が所定回数（例えば、１００回）となった時点で終了し、通常モードに切り換えられる。
【００１３】
［パチンコ遊技機の基板構成］
次に、パチンコ遊技機１の基板構成について、図５を参照して説明する。この図に示すように、パチンコ遊技機１は、少なくとも主基板２１と、該主基板２１からのコマンドに応じて、演出処理などを行う周辺基板２２とを備えている。本実施形態の主基板２１は、主制御基板２３、払出制御基板２４及び発射モータ制御基板２５を含み、周辺基板２２は、演出図柄表示制御基板２６、音声制御基板２７及びランプ制御基板２８を含んでいる。
【００１４】
払出制御基板２４には、玉切れスイッチ２９、払出センサ３０、払出モータ３１などが接続されており、主制御基板２３からの払出信号に応じて、遊技球の払い出しを行うほか、台間玉貸し機３からの貸出信号に応じて、遊技球の払い出しを行う。また、発射モータ制御基板２５には、発射スイッチ（ハンドル角センサ）３２、タッチセンサ３３、発射モータ１３などが接続されており、発射スイッチ３２及びタッチセンサ３３がＯＮのとき、発射モータ１３を駆動させる。
【００１５】
主制御基板２３には、入賞口（図示せず）に対する遊技球の入賞を検出する入賞口スイッチＳＷ１、始動口１４に対する遊技球の入賞を検出する始動口スイッチＳＷ２、ゲート（図示せず）における遊技球の通過を検出するゲートスイッチＳＷ３、大入賞口１５に対する遊技球の入賞を検出する大入賞口スイッチＳＷ４などのセンサ類と、普通電動役物１４ａや特別電動役物１５ａを開閉動作させるソレノイドＳＯＬなどのアクチュエータ類と、特別図柄表示装置１８、普通図柄表示装置２０などの表示デバイス類とが接続されている。そして、主制御基板２３は、上記各スイッチＳＷ１〜ＳＷ４の検出信号に応じて、特別図柄抽選処理（演出図柄抽選を含む）、特別図柄表示処理、コマンド送信処理、大入賞口開閉処理などを行う。
【００１６】
演出図柄表示制御基板２６には、演出図柄表示装置１９や操作スイッチＳが接続されており、主制御基板２３からのコマンドに応じて、演出図柄表示装置１９に演出図柄を変動表示させると共に、操作スイッチＳの操作に応じたスイッチ演出表示を行う。また、音声制御基板２７には、スピーカ１０が接続されており、主制御基板２３（又は演出図柄表示制御基板２６）からのコマンドに応じて、所定の演出音声をスピーカ１０から出音させる。また、ランプ制御基板２８には、発光表示ランプＬが接続されており、主制御基板２３（又は演出図柄表示制御基板２６）からのコマンドに応じて、発光表示ランプＬを点灯動作させる。
【００１７】
［第一実施形態］
以下に、図６を用いて、本発明を主制御基板２３に適用した実施形態を説明する。まず、主制御基板２３は、長方形の基板からなり、その一方の面には、ＣＰＵ、ＲＯＭ、ＲＡＭなどの電子部品（図示せず）や複数の端子３６が実装され、他方の面には、一方の面に実装された電子部品や端子３６を電気的に接続するプリント配線（図示せず）が施されている。これらの端子３６は、ケーブル３７を介して遊技機本体側（前述した他の制御基板、センサ、アクチュエータ、表示デバイスなど）に電気的に接続されるようになっている。また、主制御基板２３の角部には、後述する基板固定ネジ４０やケース閉塞ネジ４１が挿入される貫通孔２３ａ、２３ｂが形成されている。そして、この主制御基板２３は、基板ケース３５に収容された状態でパチンコ遊技機１の背面部に取り付けられる。
【００１８】
この基板ケース３５は、主制御基板２３における端子３６が配置された側の面を被覆する端子面ケース４２と、主制御基板における端子３６が配置された側とは逆の面を被覆する非端子面ケース４３と、を備えて構成されおり、主制御基板２３は、端子面ケース４２と非端子面ケース４３と共にパチンコ遊技機１の背面部に取り付けられる。つまり、端子面ケース４２と非端子面ケース４３と主制御基板２３とで一つのユニットが構成され、このユニット（以下、単に「基板ケースユニット３５０」という。）をパチンコ遊技機１の背面部に取り付けることで、パチンコ遊技機１に主制御基板２３が取り付けられるようになっている。
【００１９】
この端子面ケース４２は、透明な樹脂で一体成形されており、後述するコネクタ収容部４２ｈ、コネクタ収容部４２ｈに形成されたコネクタ挿入孔４２ｉ及びケーブル挿通孔４２ａ、端子孔４２ｂ、貫通孔４２ｃ、貫通孔４２ｄ、係合リング部４２ｅ、ヒンジピン係合部４２ｆ、本体固定部４２ｇなどを備えている。
【００２０】
コネクタ収容部４２ｈは、第一コネクタ３８（第一コネクタ３８のコネクタハウジング）を内部に収容する収容空間を有するものであり、端子面ケース４２における主制御基板２３上に設けられる特定の端子３６Ａに対応した位置に突出状に形成されている。例えば、本実施形態のコネクタ収容部４２ｈは、第一コネクタ３８の前面と対向する前壁部４２ｊと、第一コネクタ３８の左右側面と対向する左右の側壁部４２ｋと、第一コネクタ３８の上面と対向する天井部４２ｍとを備えて形成されている。
【００２１】
コネクタ挿入孔４２ｉは、端子面ケース４２と主制御基板２３とが固定された際の前記収容空間における主制御基板２３と対向する面に形成されている。
ケーブル挿通孔４２ａは、主制御基板２３上に設けられる特定の端子３６Ａに対応して形成されている。具体的には、ケーブル挿通孔４２ａは、前記収容空間におけるコネクタ挿入孔４２ｉと対向する面、つまり、前記した天井部４２ｍに形成されている。
【００２２】
端子孔４２ｂは、主制御基板２３上に設けられる上記端子３６Ａ以外の端子３６Ｂをケース外部に露出させるための孔であり、主制御基板２３上に設けられる端子３６Ｂの個数に合わせて複数形成されている。つまり、端子３６Ｂについては、従来と同様のケーブル接続構造を適用しているが、主制御基板２３に設けられる全ての端子３６において、本発明のケーブル接続構造を適用するようにしてもよい。
【００２３】
貫通孔４２ｃ（雌ねじ）は、主制御基板２３を端子面ケース４２に固定するための基板固定ネジ４０（雄ねじ）が螺入される孔であり、貫通孔４２ｄは、端子面ケース４２と後述する非端子面ケース４３とを固定するためのケース閉塞ネジ４１が挿入又は螺入される孔である。
【００２４】
ヒンジピン係合部４２ｆは、基板ケースユニット３５を開閉する際に、非端子面ケース４３の回動支点となる部分である。
本体固定部４２ｇは、遊技機本体に基板ケースユニット３５０を固定するとき、取り付けピン（図示せず）が挿入される部分である。
【００２５】
非端子面ケース４３も、透明な樹脂で一体成形されており、後述の貫通孔４３ａ、ボス部４３ｂ、ヒンジピン４３ｃ、本体係合部４３ｄなどを備えている。
貫通孔４３ａは、ケース閉塞ネジ４１が挿入又は螺入される孔であり、端子面ケース４２に形成される貫通孔４２ｃの位置と対応している。
【００２６】
ヒンジピン４３ｃは、端子面ケース４２のヒンジピン係合部４２ｅに係合され、端子面ケース４２と非端子面ケース４３との着脱の際、つまり、基板ケース３５の開閉の際に、非端子面ケース４３の回動支点となる部分である。
本体係合部４３ｄは、パチンコ遊技機本体に係合保持される部分である。
【００２７】
ここで、端子面ケース４２と非端子面ケース４３とは、主制御基板２３を被覆した状態で周知の封印構造３４によって互いの相対位置が固定されるようになっている。つまり、封印構造３４の封印を解除しない限り、端子面ケース４２と非端子面ケースと相対位置は変化しないようになっている。なお、前述したように封印構造３４は、周知なものであればよく、例示すると、封印構造３４は、端子面ケース４２に設けられた係合リング部４２ｅと、端子面ケース４２に形成される係合リング部４２ｅの位置と対応するように非端子面ケース４３に設けられたボス部４３ｂと、により構成されているものである。なお、封印可能回数に応じて係合リング部４２ｅとボス部４３ｂとをそれぞれ複数形成しても良い。
【００２８】
このような封印構造３４は、制御基板に対して行われた不正行為を早期に発見するために遊技機に採用されている。具体的に説明すると、この封印構造３４が開封操作されると、封印構造３４に開封の痕跡が残るようになっている。この痕跡は、端子面ケース４２と非端子面ケース４３との固定が解除されたこと、つまり、基板ケース３５が開封されたことをパチンコ遊技機１の管理者に伝達する機能を有している。つまり、封印構造３４により、主制御基板２３に対する不正行為をある程度防ぐことが可能である。
【００２９】
次に、ケーブル３７について説明する。ケーブル３７は、一端側に前記端子３６Ａと電気的に接続される第一コネクタ３８を備えると共に、他端側に遊技機本体側と接続される第二コネクタ３９を備えており、各コネクタ３８、３９の接続構造は、基板ケースユニット３５０とパチンコ遊技機１との取付構造の一部となっている。つまり、各コネクタ３８、３９の抜き差しにより主制御基板２３と遊技機本体との接続又は分離がなされるようになっている。
【００３０】
次に、図６及び図７を用いてケーブル３７と主制御基板２３（基板ケースユニット３５０）との分離を非容易にする本実施形態の基板ケースユニット３５０及びケーブル３７の構造について説明する。まず、前提として、第一コネクタ３８のコネクタハウジングは、第二コネクタ３９のコネクタハウジングよりも外形が大きく成形される。例えば、第一コネクタ３８が、左右幅Ｗ１、前後幅Ｄ１のコネクタハウジングを有し、第二コネクタ３９が、左右幅Ｗ２、前後幅Ｄ２のコネクタハウジングを有する場合、下記の関係式が成り立つようにする。
Ｗ２＜Ｗ１
Ｄ２＜Ｄ１
【００３１】
また、コネクタ収納部４２ｈには、第二コネクタ３９の通り抜けを許容し、かつ、第一コネクタ３８の通り抜けを規制するケーブル挿通孔４２ａが形成される。また、コネクタ収納部４２ｈには、第一コネクタ３８の通り抜けを許容するとともに、主制御基板２３上に設けられる上記端子３６Ａを前記収容空間に導くコネクタ挿入孔４２ｉが形成される。つまり、下記の関係式が成り立つようにケーブル挿通孔４２ａの左右幅Ｗ３、前後幅Ｄ３と、コネクタ挿入孔４２ｉの左右幅Ｗ４、前後幅Ｄ４（図示せず）を設定する。
Ｗ２＜Ｗ３＜Ｗ１＜Ｗ４
Ｄ２＜Ｄ３＜Ｄ１＜Ｄ４
そして、ケーブル挿通孔４２ａにケーブル３７が挿通された状態となっている第一コネクタ３８を主制御基板２３の端子３６Ａに接続した後に、前述の貫通孔２３ａと基板固定ネジ４０（雄ねじ）と貫通孔４２ｃ（雌ねじ）とにより構成される固定手段によって、端子面ケース４２は、主制御基板２３における端子３６が配置された側に固定される。ここで、前述のケーブル挿通孔４２ａにケーブル３７が挿通された状態とは、ケーブル挿通孔４２ａに、端子面ケース４２における主制御基板２３が配置される側から第二コネクタ３９、次いでケーブル３７を通した状態である。
【００３２】
なお、Ｌは、第一コネクタ３８の上端とケーブル挿通孔４２ａの周縁部内面との間の距離を表すものであり、Ｓは、端子３６Ａに対する第一コネクタ３８の差し込みストロークを表すものである。
【００３３】
次に、基板ケース３５に対する主制御基板２３の組み込み手順について説明する。
まず、主制御基板２３の端子３６Ａにケーブル３７の第一コネクタ３８を接続する。次いで、端子面ケース４２の内側からケーブル挿通孔４２ａに第二コネクタ３９を通すことにより、ケーブル３７もケーブル挿通孔４２ａに通す。なお、ケーブル３７をケーブル挿通孔４２ａに通すのは、端子３６Ａと第一コネクタ３８との接続前であってもよい。
次に、主制御基板２３を端子面ケース４２に収め、前述の固定手段を用いて固定する。このとき、第一コネクタ３８は、端子面ケース４２のコネクタ収容部４２ｈに収容される。
次に、端子面ケース４２のヒンジピン係合部４２ｆに非端子面ケース４３のヒンジピン４３ｃを係合させ、ここを回動支点として基板ケース３５を閉塞操作する。
次に、ケース閉塞ネジ４１を非端子面ケース４３側から非端子面ケース４３及び主制御基板２３の貫通孔４３ａ、２３ｂを介して、端子面ケース４２の貫通孔４２ｄに螺込む。これにより、端子面ケース４２と非端子面ケース４３との相対位置が固定され、基板ケース３５が閉塞状態に保持される。この基板ケース３５の閉塞状態は、基板固定ネジ４０のねじ頭を基板ケース３５の内部に収納するようになっている。
次に、封印構造３４にて封印を行う。この封印は、端子面ケース４２の係合リング部４２ｅを介して、非端子面ケース４３のボス部４３ｂに封印ネジ４５を螺込むことにより行われる。この封印ネジ４５は、螺込み方向への回し操作のみが許容される特殊ネジであり、封印後は、係合リング部４２ｅの基端部を切断しない限り、基板ケースユニット３５０の開放が困難になる。つまり、封印構造３４の開封は、基端部の切断という痕跡が残るようになっている。ここで、基板固定ネジ４０のねじ頭は、前記したような封印が一旦行われると、その封印を解除しない限り操作されない状態となる。
【００３４】
そして、封印された基板ケース３５（基板ケースユニット３５０）は、本体固定部４２ｇ及び本体係合部４３ｄを介して遊技機本体に取り付けられる。また、ケーブル３７の第二コネクタ３９は、遊技機本体側の所定の端子に接続される。つまり、遊技機本体に基板ケースユニット３５０を取り付ける取付構造は、本体固定部４２ｇと、本体係合部４３ｄと、第一コネクタ３８と端子３６Ａとの接続と、第二コネクタ３９と遊技機本体側の所定の端子との接続と、から構成される。
【００３５】
次に、基板ケース３５から主制御基板２３を適正に取り外すための手順について説明する。
まず、端子３６Ｂに接続されているケーブル（図示せず）を外す。
次に、遊技機本体から基板ケースユニット３５０を取り外し、封印構造３４を開封する。これは、係合リング部４２ｅの基端部を切断することにより行う。
次に、全てのケース閉塞ネジ４１を外し、非端子面ケース４３を開放操作する。
次に、全ての基板固定ネジ４０を外し、端子面ケース４２から主制御基板２３を取り出す。
そして最後に、端子３６Ａからケーブル３７の第一コネクタ３８を外す。
【００３６】
このようにすると、基板ケースユニット３５０を遊技機本体から取り外す作業は、不正行為を行う者にとって時間を要する封印構造３４の解除を行わなければならない第一コネクタ３８の取り外し作業、若しくは第一コネクタ３８よりも基板ケースユニット３５０から離れたところに配置され不正行為を行う者にとって作業範囲が広い第二コネクタ３９の取り外し作業を行わなければ、基板ケースユニット３５０を遊技機本体から取り外すことができなようにすることができる。これにより、遊技機本体から真正基板ケースを取り外し、不正基板ケースに交換するという不正行為を効果的に防止することができる。
【００３７】
また、メンテナンスを行うために、主制御基板２３の端子３６Ａから第一コネクタ３８を取り外す作業において、端子３６Ａの近傍における破壊作業を行わなくても主制御基板２３の端子３６Ａから第一コネクタ３８を取り外すことができる。また、主制御基板２３が端子面ケース４２で被覆されているため、主制御基板に不正器具が取り付けられるという不正行為を防止することができる。
【００３８】
なお、ケーブル３７の他端側に設けられる第二コネクタ３９は、遊技機本体側からの取り外しを非容易とすることが好ましい。例えば、第二コネクタ３９を遊技機本体の奥まった位置に配置する構造、第二コネクタ３９の取り外しを施錠器具を用いて規制する構造、工具を使用しないと第二コネクタ３９を取り外せない構造などを適用する。このようにすると、第二コネクタ３９の取り外し作業を行うことでケーブルが接続された真正基板ケースを取り外し、次いで、真正基板ケースをケーブルが接続された不正基板ケースに交換するという不正行為に要する時間を増大させることができる。これにより、遊技機本体から真正基板ケースを取り外し、不正基板ケースに交換するという不正行為を効果的に防止することができる。
【００３９】
また、図８に示すように、基板ケースユニット３５０が封印された状態において、端子３６Ａに差し込まれている第一コネクタ３８と、ケーブル挿通孔４２ａとの間の距離Ｌは、端子３６Ａに対する第一コネクタ３８の差し込みストロークＳを超えないようにすることが好ましい。つまり、ケーブル挿通孔４２ａの左右幅Ｗ３、前後幅Ｄ３や、第一コネクタ３８の上端とケーブル挿通孔４２ａの周縁部内面との間の距離Ｌは、下記の関係式が成立するように設定することが好ましい。
Ｗ２＜Ｗ３＜Ｗ１
Ｄ２＜Ｄ３＜Ｄ１
Ｌ＜Ｓ
このようにすると、封印された基板ケースユニット３５０内で第一コネクタ３８が端子３６Ａから外れてしまうという厄介な状況、すなわち第一コネクタ３８を再び端子３６Ａに差し込むために基板ケースユニット３５０の封印構造３４を開封しなければならないという状況の発生を防止することができる。
【００４０】
［第二実施形態］
次に、本発明の第二実施形態に係るパチンコ遊技機１について、図９を参照して説明する。ただし、第一実施形態と共通の構成は、第一実施形態と同じ符号を付け、第一実施形態の説明を援用する。
図９に示すように、第二実施形態は、端子面ケース４２と主制御基板２３を固定する固定手段が封印部３４である点が前記実施形態と相違している。具体的に説明すると、第二実施形態では、主制御基板２３を非端子面ケース４３に収め、基板固定ネジ４０によって主制御基板２３を非端子面ケース２３に固定するので、基板固定ネジ４０は前記固定手段とはなっていない。そして、第二実施形態では、非端子面ケース４３に固定された主制御基板２３の端子面（基板固定ネジ４０の頭を含む）を端子面ケース４２で被覆し、ケース閉塞ネジ４１及び封印部３４を介して、端子面ケース４２を主制御基板２３及び非端子面ケース２３に対して固定するので、結果的に封印部３４が前記固定手段となる。なお、図９に示す符号４３ｅは非端子面ケース４３に形成される貫通孔であり、ここに基板固定ネジ４０が螺入される。
【００４１】
このようにしても、基板ケースユニット３５０を遊技機本体から取り外す作業は、不正行為を行う者にとって時間を要する封印構造の解除を行わなければならない第一コネクタ３８の取り外し作業、若しくは第一コネクタ３８よりも基板ケースユニット３５０から離れたところに配置され不正行為を行う者にとって作業範囲が広い第二コネクタ３９の取り外し作業を行わなければ、基板ケースユニット３５０を遊技機本体から取り外すことができなようにすることができる。
【図面の簡単な説明】
【００４２】
【図１】パチンコ遊技機の正面図である。
【図２】パチンコ遊技機の背面図である。
【図３】遊技盤の正面図である。
【図４】パチンコ遊技機における遊技モードの遷移を示すフローチャートである。
【図５】パチンコ遊技機の基板構成を示すブロック図である。
【図６】本発明の第一実施形態に係る基板ケースの分解斜視図である。
【図７】本発明の第一実施形態に係る基板ケースの要部分解斜視図である。
【図８】本発明の第一実施形態に係る基板ケースの要部断面図である。
【図９】本発明の第二実施形態に係る基板ケースの分解斜視図である。
【符号の説明】
【００４３】
１      パチンコ遊技機
２３    主制御基板
３４    封印部
３５    基板ケース
３６    端子
３７    ケーブル
３８    第一コネクタ
３９    第二コネクタ
４２    端子面ケース
４２ａ  ケーブル挿通孔
４２ｈ  コネクタ挿入孔
４３    非端子面ケース
【図１】
2008093202.tif 000003
【図２】
2008093202.tif 000004
【図３】
2008093202.tif 000005
【図４】
2008093202.tif 000006
【図５】
2008093202.tif 000007
【図６】
2008093202.tif 000008
【図７】
2008093202.tif 000009
【図８】
2008093202.tif 000010
【図９】
2008093202.tif 000011